【手続補正書】
【提出日】平成18年4月3日(2006.4.3)
【手続補正１】
【補正対象書類名】明細書
【補正対象項目名】特許請求の範囲
【補正方法】変更
【補正の内容】
【特許請求の範囲】
【請求項１】  各々の数が送信可能である物理量に比例している第１の数字アルファベットと関連する送信チャネルを介して情報を送信する方法であって、
少なくとも３つの異なる零でない値を含む第２の数字アルファベットに関するｎ×ｎの大きさの直交優位である行列Ｈの少なくとも１つの部分行列から成る集合であって、各々の部分行列が行列Ｈの行のうちのｐ個（ｐ≧２）の行を含むような集合を記憶する記憶工程と、
前記集合の部分行列の１つと、係数の行と呼ばれるｐ個組の係数とを、当該部分行列の１つと当該係数の行との行列積が、前記第１のアルファベットの数列を提供し、前記部分行列及び前記係数の行が共同して送信すべき情報を表現するように選択する共同選択工程と、
送信すべき情報を前記数列によって表現する表現工程とを有することを特徴とする情報送信方法。
【請求項２】  前記行列Ｈは直交行列であることを特徴とする請求項１記載の情報送信方法。
【請求項３】  前記行列Ｈは、転置行列ＨTとの行列積Ｈ・ＨTの対角成分が全て等しくなるような行列であることを特徴とする請求項１又は２に記載の情報送信方法。
【請求項４】  前記係数の行の係数は全て同じ絶対値を有することを特徴とする請求項１乃至３のいずれかに記載の情報送信方法。
【請求項５】  前記共同選択工程では、前記集合の部分行列と前記係数の行とが、前記行列積が二乗の和が所定の値であるような前記第１のアルファベットの数列を提供するように選択されることを特徴とする請求項１乃至４のいずれかに記載の情報送信方法。
【請求項６】  前記共同選択工程では、少なくとも２つの部分行列を選択することが可能であり、前記表現工程において、前記数列を生成する部分行列は送信すべき情報の少なくとも一部を表現することを特徴とする請求項１乃至５のいずれかに記載の情報送信方法。
【請求項７】  前記共同選択工程において、前記係数の行は少なくとも２つの異なる値をとることができ、前記表現工程において、前記係数の行は送信すべき情報の少なくとも一部を表現することを特徴とする請求項１乃至６のいずれかに記載の情報送信方法。
【請求項８】  前記共同選択工程において、前記係数の行を形成するために２進係数が選択されることを特徴とする請求項１乃至７のいずれかに記載の情報送信方法。
【請求項９】  変調後の振幅が前記数列の要素に比例するような変調を行なう振幅変調工程を更に備えることを特徴とする請求項１乃至８のいずれかに記載の情報送信方法。
【請求項１０】  前記振幅変調工程では、２つの項目の情報を送信するために、互いに位相の直交する２つの信号に対して、それぞれの振幅が前記２つの項目の異なる１つを表現する数列の要素に比例するように変調を行なうことを特徴とする請求項９に記載の情報送信方法。
【請求項１１】  各々の数が送信可能である物理量に比例している第１の数字アルファベットと関連する送信チャネルを介して情報を受信する方法であって、
少なくとも３つの異なる零でない値を含む第２の数字アルファベットに関するｎ×ｎの大きさの直交優位である行列Ｈの少なくとも１つの部分行列からなる集合であって、各々の部分行列が行列Ｈの行のうちのｐ個（ｐ≧２）の行を含むような集合を記憶する記憶工程と、
前記集合の部分行列の１つと、係数の行と呼ばれるｐ個組の係数とを、当該部分行列の１つと当該係数の行との行列積が前記受信される数列に対応し、前記部分行列及び前記係数の行が共同して送信すべき情報を表現するように共同して判定する共同判定工程と、
前記部分行列及び前記係数の行を送信される情報と共同して整合させる整合工程とを有することを特徴とする情報受信方法。
【請求項１２】  前記行列Ｈは直交行列であることを特徴とする請求項１１記載の情報受信方法。
【請求項１３】  前記行列Ｈは、転置行列ＨTとの行列積Ｈ・ＨTの対角成分が全て等しくなるような行列であることを特徴とする請求項１１又は１２記載の情報受信方法。
【請求項１４】  前記係数の行の係数は全て同じ絶対値を有することを特徴とする請求項１１乃至１３のいずれかに記載の情報受信方法。
【請求項１５】  前記共同工程では、前記集合の部分行列と前記係数の行とが、前記行列積が二乗の和が所定の値であるような前記第１のアルファベットの数列を提供するように判定されることを特徴とする請求項１１乃至１４のいずれかに記載の情報受信方法。
【請求項１６】  前記共同判定工程では、少なくとも２つの部分行列の中から部分行列が判定され、前記整合工程において、前記数列を生成する部分行列は、送信すべき情報の少なくとも一部を表現することを特徴とする請求項１１乃至１５のいずれかに記載の情報受信方法。
【請求項１７】  前記共同判定工程では、係数の行は少なくとも２つの異なる値をとることができ、前記整合工程において、係数の行の値は送信すべき情報の少なくとも一部を表現することを特徴とする請求項１１乃至１６のいずれかに記載の情報受信方法。
【請求項１８】  前記共同判定工程が、前記数列と前記行列Ｈの各行とのスカラー積を演算するスカラー積計算工程を含むことを特徴とする請求項１１から１７のいずれか１項に記載の情報受信方法。
【請求項１９】  前記共同判定工程において、絶対値が最大であるｐ個のスカラー積の符号にそれぞれ等しい係数と、スカラー積の絶対値が最大である行を含む部分行列とが判定されることを特徴とする請求項１８記載の情報受信方法。
【請求項２０】  前記共同判定工程において判定された前記行列Ｈの行と、所定の行のグループとを比較して、当該判定された行が当該所定の行のグループのいずれにも対応しないときに送信エラーを検出する検出工程を更に備えることを特徴とする請求項１５乃至１９のいずれかに記載の情報受信方法。
【請求項２１】  前記共同判定工程において判定された前記係数の行の係数と、所定の係数のグループとを比較して、当該判定された係数が当該所定の係数のグループのいずれにも対応しないときに送信エラーを検出する検出工程を更に備えることを特徴とする請求項１５乃至２０のいずれかに記載の情報受信方法。
【請求項２２】  前記共同判定工程が、受信された数列を前記行列Ｈの所定の部分行列と比較する工程を含むことを特徴とする請求項１５乃至２１のいずれかに記載の情報受信方法。
【請求項２３】  振幅変調により変調された信号を復調する復調工程を更に備えることを特徴とする請求項１１乃至２２のいずれかに記載の情報受信方法。
【請求項２４】  前記復調工程では、各々の振幅が独立して情報を表現する数列を提供するような直交振幅変調により変調された２つの信号を復調する動作を含むことを特徴とする請求項２３に記載の情報受信方法。
【請求項２５】  各々の数が送信可能である物理量に比例している第１の数字アルファベットと関連する送信チャネルを介して情報を送信する装置であって、
少なくとも３つの異なる零でない値を含む第２の数字アルファベットに関するｎ×ｎの大きさの直交優位である行列Ｈの少なくとも１つの部分行列から成る集合であって、各々の部分行列が行列Ｈの行のうちのｐ個（ｐ≧２）の行を含むような集合を格納するメモリと、
前記集合の部分行列の１つと、係数の行と呼ばれるｐ個組の係数とを、当該部分行列の１つと当該係数の行との行列積が、前記第１のアルファベットの数列を提供し、前記部分行列及び前記係数の行が共同して送信すべき情報を表現するように選択する共同選択手段と、
送信すべき情報を前記数列によって表現する表現手段とを備えることを特徴とする情報送信装置。
【請求項２６】  各々の数が送信可能である物理量に比例している第１の数字アルファベットと関連する送信チャネルを介して情報を受信する受信装置であって、
少なくとも３つの異なる零でない値を含む第２の数字アルファベットに関するｎ×ｎの大きさの直交優位である行列Ｈの少なくとも１つの部分行列からなる集合であって、各々の部分行列が行列Ｈの行のうちのｐ個（ｐ≧２）の行を含むような集合を格納するメモリと、
前記集合の部分行列の１つと、係数の行と呼ばれるｐ個組の係数とを、当該部分行列の１つと当該係数の行との行列積が前記受信される数列に対応し、前記部分行列及び前記係数の行が共同して送信すべき情報を表現するように共同して判定する共同判定手段と、
前記部分行列及び前記係数の行を送信される情報と共同して整合させる整合手段とを備えることを特徴とする情報受信装置。
【請求項２７】  コンピュータプログラムの命令をコンピュータ又はマイクロプロセッサにより読み取り可能である情報として格納する記憶媒体であって、請求項１乃至２４のいずれか１項に記載の方法をコンピュータ又はマイクロプロセッサに実行させるコンピュータプログラムを格納したことを特徴とする記憶媒体。
【手続補正２】
【補正対象書類名】明細書
【補正対象項目名】００２３
【補正方法】変更
【補正の内容】
【００２３】
【課題を解決するための手段】
このために、本発明の第１の側面によれば、次のような情報送信方法が提供される。すなわち、
各々の数が送信可能である物理量に比例している第１の数字アルファベットと関連する送信チャネルを介して情報を送信する方法であって、
少なくとも３つの異なる零でない値を含む第２の数字アルファベットに関するｎ×ｎの大きさの直交優位である行列Ｈの少なくとも１つの部分行列から成る集合であって、各々の部分行列が行列Ｈの行のうちのｐ個（ｐ≧２）の行を含むような集合を記憶する記憶工程と、
前記集合の部分行列の１つと、係数の行と呼ばれるｐ個組の係数とを、当該部分行列の１つと当該係数の行との行列積が、前記第１のアルファベットの数列を提供し、前記部分行列及び前記係数の行が共同して送信すべき情報を表現するように選択する共同選択工程と、
送信すべき情報を前記数列によって表現する表現工程とを有することを特徴とする情報送信方法が提供される。
【手続補正３】
【補正対象書類名】明細書
【補正対象項目名】００４６
【補正方法】変更
【補正の内容】
【００４６】
第２の側面によれば、本発明は、各々の数が送信可能である物理量に比例している第１の数字アルファベットと関連する送信チャネルを介して情報を受信する方法であって、
少なくとも３つの異なる零でない値を含む第２の数字アルファベットに関するｎ×ｎの大きさの直交優位である行列Ｈの少なくとも１つの部分行列からなる集合であって、各々の部分行列が行列Ｈの行のうちのｐ個（ｐ≧２）の行を含むような集合を記憶する記憶工程と、
前記集合の部分行列の１つと、係数の行と呼ばれるｐ個組の係数とを、当該部分行列の１つと当該係数の行との行列積が前記受信される数列に対応し、前記部分行列及び前記係数の行が共同して送信すべき情報を表現するように共同して判定する共同判定工程と、
前記部分行列及び前記係数の行を送信される情報と共同して整合させる整合工程とを有することを特徴とする情報受信方法に関する。
【手続補正４】
【補正対象書類名】明細書
【補正対象項目名】００４７
【補正方法】変更
【補正の内容】
【００４７】
また、第３の側面によれば、本発明は、各々の数が送信可能である物理量に比例している第１の数字アルファベットと関連する送信チャネルを介して情報を送信する装置であって、
少なくとも３つの異なる零でない値を含む第２の数字アルファベットに関するｎ×ｎの大きさの直交優位である行列Ｈの少なくとも１つの部分行列から成る集合であって、各々の部分行列が行列Ｈの行のうちのｐ個（ｐ≧２）の行を含むような集合を格納するメモリと、
前記集合の部分行列の１つと、係数の行と呼ばれるｐ個組の係数とを、当該部分行列の１つと当該係数の行との行列積が、前記第１のアルファベットの数列を提供し、前記部分行列及び前記係数の行が共同して送信すべき情報を表現するように選択する共同選択手段と、
送信すべき情報を前記数列によって表現する表現手段とを備えることを特徴とする情報送信装置に関する。
【手続補正５】
【補正対象書類名】明細書
【補正対象項目名】００４８
【補正方法】変更
【補正の内容】
【００４８】
更に、第４の側面によれば、本発明は、各々の数が送信可能である物理量に比例している第１の数字アルファベットと関連する送信チャネルを介して情報を受信する受信装置であって、
少なくとも３つの異なる零でない値を含む第２の数字アルファベットに関するｎ×ｎの大きさの直交優位である行列Ｈの少なくとも１つの部分行列からなる集合であって、各々の部分行列が行列Ｈの行のうちのｐ個（ｐ≧２）の行を含むような集合を格納するメモリと、
前記集合の部分行列の１つと、係数の行と呼ばれるｐ個組の係数とを、当該部分行列の１つと当該係数の行との行列積が前記受信される数列に対応し、前記部分行列及び前記係数の行が共同して送信すべき情報を表現するように共同して判定する共同判定手段と、
前記部分行列及び前記係数の行を送信される情報と共同して整合させる整合手段とを備えることを特徴とする情報受信装置に関する。